(57)【要約】  本願は、ＨＡＲＱ  ＲＴＴタイマを柔軟に起動して省電力化を図ることができる無線通信方法及び端末デバイスを提供する。該方法は、端末デバイスがＤＲＸ期間においてＰＤＣＣＨを監視することと、該ＰＤＣＣＨを検出した場合、該端末デバイスが第１の時刻に該非同期ＨＡＲＱプロセスに対する上りＨＡＲＱ  ＲＴＴタイマを開始することとを含み、該ＰＤＣＣＨに上りグラントが含まれ、該上りグラントは、ＰＵＳＣＨを伝送するための非同期ＨＡＲＱプロセスを示す。
2021510024.tif 000002
【特許請求の範囲】
【請求項１】
端末デバイスが非連続受信ＤＲＸ期間に下り制御チャネルＰＤＣＣＨを監視することと、
前記ＰＤＣＣＨを検出した後、前記端末デバイスが前記非同期ＨＡＲＱプロセスに対する上りＨＡＲＱトリップ時間ＲＴＴタイマを第１の時刻に開始することとを含み、
前記ＰＤＣＣＨに上りグラントが搬送され、前記上りグラントは、上り共有チャネルＰＵＳＣＨを伝送するための非同期ハイブリッド自動再送要求ＨＡＲＱプロセスを示す
ことを特徴とする無線通信方法。
【請求項２】
前記方法は、さらに、
ＰＵＳＣＨをｎ回目に伝送する時に、前記端末デバイスがネットワークデバイスからフィードバックされた再送終了メッセージを受信することと、
前記端末デバイスが、前記第１の時刻をＰＵＳＣＨのｎ番目の伝送の時刻として決定することとを含み、
ｎはｋ以下の正の整数であり、ｋは最大再送信回数であり、ｋは１以上の正の整数である
ことを特徴とする請求項１に記載の無線通信方法。
【請求項３】
前記再送終了メッセージがＰＤＣＣＨによって示される動的スケジューリング情報であり、又は、前記再送終了メッセージがＰＤＣＣＨによって示される確認フレームＡＣＫ又は非確認フレームＮＡＣＫである
ことを特徴とする請求項２に記載の無線通信方法。
【請求項４】
前記第１の時刻がＰＵＳＣＨを１回目に伝送する時刻である
ことを特徴とする請求項１に記載の無線通信方法。
【請求項５】
前記ＰＵＳＣＨの１回目の伝送がＰＵＳＣＨのｋ回の再送のうちの１回目であり、ｋは最大再送信回数であり、ｋは１以上の正の整数である
ことを特徴とする請求項４に記載の無線通信方法。
【請求項６】
前記第１の時刻がＰＵＳＣＨのｋ回目の伝送の時刻であり、ｋは最大再送信回数であり、ｋは１以上の正の整数である
ことを特徴とする請求項１に記載の無線通信方法。
【請求項７】
前記最大再送回数は、ネットワークデバイスが前記非同期ＨＡＲＱプロセスに対して構成したのもである
ことを特徴とする請求項２、３、５又は６に記載の無線通信方法。
【請求項８】
前記最大再送回数は、前記非同期ＨＡＲＱプロセスに対して予め構成したものである
ことを特徴とする請求項２、３、５又は６に記載の無線通信方法。
【請求項９】
端末デバイスが現在の時刻に上りグラントを有すると決定することと、
前記端末デバイスが第１の時刻に前記非同期ＨＡＲＱプロセスに対する上りＨＡＲＱトリップ時間ＲＴＴタイマを開始することとを含み、
前記上りグラントは、上り共有チャネルＰＵＳＣＨを伝送するための非同期ハイブリッド自動再送要求ＨＡＲＱプロセスを示す
ことを特徴とする無線通信方法。
【請求項１０】
前記方法は、さらに、
ＰＵＳＣＨをｎ回目に伝送する時に、前記端末デバイスがネットワークデバイスからフィードバックされた再送終了メッセージを受信することと、
前記端末デバイスが、前記第１の時刻をＰＵＳＣＨのｎ番目の伝送の時刻として決定することとを含み、
ｎはｋ以下の正の整数であり、ｋは最大再送信回数であり、ｋは１以上の正の整数である
ことを特徴とする請求項９に記載の無線通信方法。
【請求項１１】
前記再送終了メッセージがＰＤＣＣＨによって示される動的スケジューリング情報であり、又は、前記再送終了メッセージがＰＤＣＣＨによって示される確認フレームＡＣＫ又は非確認フレームＮＡＣＫである
ことを特徴とする請求項１０に記載の無線通信方法。
【請求項１２】
前記第１の時刻がＰＵＳＣＨを１回目に伝送する時刻である
ことを特徴とする請求項９に記載の無線通信方法。
【請求項１３】
前記ＰＵＳＣＨの１回目の伝送がＰＵＳＣＨのｋ回の再送のうちの１回目であり、ｋは最大再送信回数であり、ｋは１以上の正の整数である
ことを特徴とする請求項１２に記載の無線通信方法。
【請求項１４】
前記第１の時刻がＰＵＳＣＨのｋ回目の伝送の時刻であり、ｋは最大再送信回数であり、ｋは１以上の正の整数である
ことを特徴とする請求項９に記載の無線通信方法。
【請求項１５】
前記最大再送回数は、ネットワークデバイスが前記非同期ＨＡＲＱプロセスに対して構成したのもである
ことを特徴とする請求項１０、１１、１３又は１４に記載の無線通信方法。
【請求項１６】
前記最大再送回数は、前記非同期ＨＡＲＱプロセスに対して予め構成したものである
ことを特徴とする請求項１０、１１、１３又は１４に記載の無線通信方法。
【請求項１７】
処理ユニットを備える端末デバイスであって、
前記処理ユニットは、非連続受信ＤＲＸ期間に下り制御チャネルＰＤＣＣＨを監視するように構成され、前記ＰＤＣＣＨに上りグラントが搬送され、前記上りグラントは、上り共有チャネルＰＵＳＣＨを伝送する非同期ハイブリッド自動再送要求ＨＡＲＱプロセスを示し、
前記処理ユニットは、前記ＰＤＣＣＨを検出した後、第１の時刻に前記非同期ＨＡＲＱプロセスに対する上りＨＡＲＱトリップ時間ＲＴＴタイマを開始する
ことを特徴とする端末デバイス。
【請求項１８】
前記端末デバイスは、さらに、受信ユニットを備え、
前記受信ユニットは、ＰＵＳＣＨをｎ回目に伝送する時に、ネットワークデバイスから返信された再送終了メッセージを受信するように構成され、ｎはｋ以下の正の整数であり、ｋは最大再送信回数であり、ｋは１以上の正の整数であり、
前記処理ユニットは、さらに、前記第１の時刻をＰＵＳＣＨのｎ回目の伝送の時刻として決定するように構成される
ことを特徴とする請求項１７に記載の端末デバイス。
【請求項１９】
前記再送終了メッセージがＰＤＣＣＨによって示される動的スケジューリング情報であり、又は、前記再送終了メッセージがＰＤＣＣＨによって示される確認フレームＡＣＫ又は非確認フレームＮＡＣＫである
ことを特徴とする請求項１８に記載の端末デバイス。
【請求項２０】
前記第１の時刻がＰＵＳＣＨを１回目に伝送する時刻である
ことを特徴とする請求項１７に記載の端末デバイス。
【請求項２１】
前記ＰＵＳＣＨの１回目の伝送がＰＵＳＣＨのｋ回の再送のうちの１回目であり、ｋは最大再送信回数であり、ｋは１以上の正の整数である
ことを特徴とする請求項２０に記載の端末デバイス。
【請求項２２】
前記第１の時刻がＰＵＳＣＨのｋ回目の伝送の時刻であり、ｋは最大再送信回数であり、ｋは１以上の正の整数である
ことを特徴とする請求項１７に記載の端末デバイス。
【請求項２３】
前記最大再送回数は、ネットワークデバイスが前記非同期ＨＡＲＱプロセスに対して構成したのもである
ことを特徴とする請求項１８、１９、２１又は２２に記載の端末デバイス。
【請求項２４】
前記最大再送回数は、前記非同期ＨＡＲＱプロセスに対して予め構成したものである
ことを特徴とする請求項１８、１９、２１又は２２に記載の端末デバイス。
【請求項２５】
処理ユニットを備える端末デバイスであって、
前記処理ユニットは、現在の時刻に上りグラントを有すると決定するように構成され、前記上りグラントは、上り共有チャネルＰＵＳＣＨを伝送する非同期ハイブリッド自動再送要求ＨＡＲＱプロセスを示し、
前記処理ユニットは、さらに、第１の時刻に前記非同期ＨＡＲＱプロセスに対する上りＨＡＲＱトリップ時間ＲＴＴタイマを開始するように構成される
ことを特徴とする端末デバイス。
【請求項２６】
前記端末デバイスは、さらに、受信ユニットを含み、
前記受信ユニットは、ＰＵＳＣＨをｎ回目に伝送する時に、ネットワークデバイスから返信された再送終了メッセージを受信するように構成され、ｎはｋ以下の正の整数であり、ｋは最大再送信回数であり、ｋは１以上の正の整数であり、
前記処理ユニットは、さらに、前記第１の時刻をＰＵＳＣＨのｎ回目の伝送の時刻として決定する
ことを特徴とする請求項２５に記載の端末デバイス。
【請求項２７】
前記再送終了メッセージがＰＤＣＣＨによって示される動的スケジューリング情報であり、又は、前記再送終了メッセージがＰＤＣＣＨによって示される確認フレームＡＣＫ又は非確認フレームＮＡＣＫである
ことを特徴とする請求項２６に記載の端末デバイス。
【請求項２８】
前記第１の時刻がＰＵＳＣＨを１回目に伝送する時刻である
ことを特徴とする請求項２５に記載の端末デバイス。
【請求項２９】
前記ＰＵＳＣＨの１回目の伝送がＰＵＳＣＨのｋ回の再送のうちの１回目であり、ｋは最大再送信回数であり、ｋは１以上の正の整数である
ことを特徴とする請求項２８に記載の端末デバイス。
【請求項３０】
前記第１の時刻がＰＵＳＣＨのｋ回目の伝送の時刻であり、ｋは最大再送信回数であり、ｋは１以上の正の整数である
ことを特徴とする請求項２５に記載の端末デバイス。
【請求項３１】
前記最大再送回数は、ネットワークデバイスが前記非同期ＨＡＲＱプロセスに対して構成したものである
ことを特徴とする請求項２６、２７、２９又は３０に記載の端末デバイス。
【請求項３２】
前記最大再送回数は、前記非同期ＨＡＲＱプロセスに対して予め構成したものである
ことを特徴とする請求項２６、２７、２９又は３０に記載の端末デバイス。
【発明の詳細な説明】
【技術分野】
【０００１】
本願は、通信分野に関し、具体的に、無線通信方法及び端末デバイスに関する。
【背景技術】
【０００２】
ロングタームエボリューション( Ｌｏｎｇ  Ｔｅｒｍ  Ｅｖｏｌｕｔｉｏｎ、ＬＴＥ )システムにおいて、ハイブリッド自動再送要求トリップ時間( Ｈｙｂｒｉｄ Ａｕｔｏｍａｔｉｃ Ｒｅｐｅａｔ Ｒｅｑｕｅｓｔ Ｒｏｕｎｄ Ｔｒｉｐ Ｔｉｍｅ、ＨＡＲＱ ＲＴＴ )タイマは、非同期ハイブリッド自動再送要求( Ｈｙｂｒｉｄ Ａｕｔｏｍａｔｉｃ Ｒｅｐｅａｔ Ｒｅｑｕｅｓｔ、ＨＡＲＱ )プロセスごとに定義され、すなわち、各非同期ＨＡＲＱプロセスごとに１つの上りＨＡＲＱ ＲＴＴタイマを維持する。このタイマの役割は、端末デバイスが、開始時に、タイマの期間にわたってこの非同期ＨＡＲＱプロセスのための物理下りリンク制御チャネル( Ｐｈｙｓｉｃａｌ Ｄｏｗｎｌｉｎｋ Ｃｏｎｔｒｏｌ Ｃｈａｎｎｅｌ、ＰＤＣＣＨ )を監視する必要がないことである。
【０００３】
第５世代移動通信技術( ５−Ｇｅｎｅｒａｔｉｏｎ、５Ｇ )新しいラジオ( Ｎｅｗ Ｒａｄｉｏ ＮＲ )通信では、省電力化の要求を満たすために、上りＨＡＲＱ ＲＴＴタイマの開始時刻は、物理上り共有チャネル( Ｐｈｙｓｉｃａｌ Ｕｐｌｉｎｋ Ｓｈａｒｅｄ Ｃｈａｎｎｅｌ、ＰＵＳＣＨ )の再送を考慮する必要がある。
【発明の概要】
【０００４】
本願の実施例は、ＨＡＲＱ ＲＴＴタイマを柔軟に開始して省電力化を図ることができる無線通信方法、端末デバイスを提供する。
【０００５】
第１の態様として、本願の実施例は、無線通信方法を提供し、
端末デバイスが非連続受信ＤＲＸ期間に下り制御チャネルＰＤＣＣＨを監視することと、
該ＰＤＣＣＨを検出した後、該端末デバイスが第１の時刻に該非同期ＨＡＲＱプロセスに対する上りＨＡＲＱトリップ時間ＲＴＴタイマを開始することとを含み、該ＰＤＣＣＨに上りグラントが含まれ、該上りグラントが、上り共有チャネルＰＵＳＣＨを伝送するための非同期ハイブリッド自動再送要求ＨＡＲＱプロセスを示す。
【０００６】
そして、在本願の実施例における無線通信方法において、端末デバイスは、上り非同期ＨＡＲＱプロセスを示すＰＤＣＣＨを検出した後、第１の時刻に、非同期ＨＡＲＱプロセスに対する上りＨＡＲＱ ＲＴＴタイマを開始し、これにより、端末デバイスは、上りＨＡＲＱ ＲＴＴタイマ開始期間においてＰＤＣＣＨを監視する必要がなく、省電力化を図ることができる。
【０００７】
任意選択で、第１の態様の実現可能な方式において、該方法は、さらに、
ＰＵＳＣＨをｎ回目に伝送する場合、該端末デバイスがネットワークデバイスからフィードバックされた再送終了メッセージを受信することと、
該端末デバイスが該第１の時刻をＰＵＳＣＨのｎ回目の伝送の時刻として決定することとを含み、
ｎはｋ以下の正の整数であり、ｋは最大再送信回数であり、ｋは１以上の正の整数である。
【０００８】
なお、端末デバイスは、ネットワークデバイスからフィードバックされた再送終了メッセージを受信した後、ネットワークデバイスがＰＵＳＣＨの受信に成功したことを示し、最大再送回数を待つ必要がなく、再送を終了することができる。
【０００９】
そして、本願の実施例における無線通信方法において、端末デバイスは、再送終了メッセージを受信した場合、非同期ＨＡＲＱプロセスに対する上りＨＡＲＱ ＲＴＴタイマを開始し、これにより、端末デバイスは、ＰＤＣＣＨ監視を早期に終了し、省電力化を図ることができる。
【００１０】
任意選択で、第１の態様の実現可能な方式において、該再送終了メッセージは、ＰＤＣＣＨによって示される動的スケジューリング情報、又は、ＰＤＣＣＨによって示される確認フレームＡＣＫ又は非確認フレームＮＡＣＫである。
【００１１】
任意選択で、第１の態様の実現可能な方式において、該第１の時刻は、ＰＵＳＣＨの１回目の伝送の時刻である。
【００１２】
そして、本願の実施例における無線通信方法において、ＰＵＳＣＨの１回目の伝送の時刻に上りＨＡＲＱ ＲＴＴタイマを開始して、端末デバイスは、上りＨＡＲＱ ＲＴＴタイマ開始期間においてＰＤＣＣＨを監視する必要がなく、省電力化を図ることができる。
【００１３】
任意選択で、第１の態様の実現可能な方式において、該ＰＵＳＣＨの１回目の伝送は、ＰＵＳＣＨのｋ回の再送のうちの１回目であり、ｋは最大再送信回数であり、ｋは１以上の正の整数である。
【００１４】
任意選択で、第１の態様の実現可能な方式において、該第１の時刻は、ＰＵＳＣＨのｋ回目の伝送の時刻であり、ｋは最大再送信回数であり、ｋは１以上の正の整数である。
【００１５】
任意選択で、第１の態様の実現可能な方式において、該最大再送回数は、ネットワークデバイスが該非同期ＨＡＲＱプロセスに対する構成したものである。
【００１６】
任意選択で、第１の態様の実現可能な方式において、該最大再送回数は、該非同期ＨＡＲＱプロセスに対して予め構成したものである。
【００１７】
第２の態様として、本願の実施例は、無線通信方法を提供し、
端末デバイスが現在の時刻に上りグラントを有すると決定することと、
該端末デバイスが第１の時刻に該非同期ＨＡＲＱプロセスに対する上りＨＡＲＱトリップ時間ＲＴＴタイマを開始することとを含み、
該上りグラントが、上り共有チャネルＰＵＳＣＨを伝送するための非同期ハイブリッド自動再送要求ＨＡＲＱプロセスを示す。
【００１８】
そして、本願の実施例における無線通信方法において、端末デバイスは、上り非同期ＨＡＲＱプロセスを示す上りグラントが現在存在すると決定した後、第１の時刻に非同期ＨＡＲＱプロセスに対する上りＨＡＲＱ ＲＴＴタイマを開始し、上りＨＡＲＱ ＲＴＴタイマ開始期間においてＰＤＣＣＨを監視する必要がなく、省電力化を図ることができる。
【００１９】
任意選択で、第２の態様の実現方式において、該方法は、さらに、
ＰＵＳＣＨをｎ回目に伝送する場合、該端末デバイスがネットワークデバイスからフィードバックされた再送終了メッセージを受信することと、
該端末デバイスが該第１の時刻をＰＵＳＣＨのｎ回目の伝送の時刻として決定することとを含み、ｎはｋ以下の正の整数であり、ｋは最大再送信回数であり、ｋは１以上の正の整数である。
【００２０】
なお、端末デバイスは、ネットワークデバイスからフィードバックされた再送終了メッセージを受信した後、ネットワークデバイスがＰＵＳＣＨの受信に成功したことを示し、最大再送回数を待つ必要がなく、再送を終了することができる。
【００２１】
そして、本願の実施例における無線通信方法において、端末デバイスは、再送終了メッセージを受信した場合、非同期ＨＡＲＱプロセスに対する上りＨＡＲＱ ＲＴＴタイマを開始して、ＰＤＣＣＨ監視を早期に終了し、省電力化を図ることができる。
【００２２】
任意選択で、第２の態様の実現方式において、該再送終了メッセージは、ＰＤＣＣＨによって示される動的スケジューリング情報、又は、ＰＤＣＣＨによって示される確認フレームＡＣＫ又は非確認フレームＮＡＣＫである。
【００２３】
任意選択で、第２の態様の実現方式において、該第１の時刻は、ＰＵＳＣＨの１回目の伝送の時刻である。
【００２４】
そして、本願の実施例における無線通信方法において、ＰＵＳＣＨの１回目の伝送の時刻に上りＨＡＲＱ ＲＴＴタイマを開始して、端末デバイスは、上りＨＡＲＱ ＲＴＴタイマ開始期間においてＰＤＣＣＨを監視する必要がなく、省電力化を図ることができる。
【００２５】
任意選択で、第２の態様の実現方式において、該ＰＵＳＣＨの１回目の伝送は、ＰＵＳＣＨのｋ回の再送のうちの１回目であり、ｋは最大再送信回数であり、ｋは１以上の正の整数である。
【００２６】
任意選択で、第２の態様の実現方式において、該第１の時刻は、ＰＵＳＣＨのｋ回目の伝送の時刻であり、ｋは最大再送信回数であり、ｋは１以上の正の整数である。
【００２７】
任意選択で、第２の態様の実現方式において、該最大再送回数は、ネットワークデバイスが該非同期ＨＡＲＱプロセスに対する構成したものである。
【００２８】
任意選択で、第２の態様の実現方式において、該最大再送回数は、該非同期ＨＡＲＱプロセスに対して予め構成したものである。
【００２９】
第３の態様として、本願の実施例は、第１の態様または第１の態様の任意の実施形態における方法のモジュールまたはユニットを実行することができる端末デバイスを提供する。
【００３０】
第４の態様として、本願の実施例は、第２の態様または第２の態様の任意の実施態様における方法のモジュールまたはユニットを実行することができる端末デバイスを提供する。
【００３１】
第５の態様は、プロセッサと、メモリと、通信インターフェースとを含む端末デバイスを提供する。プロセッサは、メモリおよび通信インターフェースに接続される。メモリは、命令を格納するために使用され、プロセッサは、命令を実行するために使用され、通信インターフェースは、プロセッサの制御下で他のネットワーク要素と通信するために使用される。プロセッサがメモリに記憶された命令を実行すると、プロセッサに、第１の態様または第１の態様の任意の可能な実装形態における方法を実行させる。
【００３２】
第６の態様は、プロセッサと、メモリと、通信インターフェースとを含む端末デバイスを提供する。プロセッサは、メモリおよび通信インターフェースに接続される。メモリは、命令を格納するために使用され、プロセッサは、命令を実行するために使用され、通信インターフェースは、プロセッサの制御下で他のネットワーク要素と通信するために使用される。プロセッサがメモリに記憶された命令を実行すると、プロセッサに、第２の態様または第２の態様の任意の可能な実装形態における方法を実行させる。
【００３３】
第７の態様は、コンピュータに、上記の第１の態様または第１の態様の可能な実施態様のいずれかにおける方法を実行するための命令を指示するためのプログラムコードを記憶したコンピュータ記憶媒体を提供する。
【００３４】
第８の態様は、コンピュータに、上記の第２の態様または第２の態様の可能な実施態様のいずれかにおける方法を実行するための命令を指示するためのプログラムコードを記憶したコンピュータ記憶媒体を提供する。
【００３５】
第９の態様は、命令を含むコンピュータプログラム製品を提供し、コンピュータ上で実行されると、コンピュータに、上述の態様に記載の方法を実行させる。
【図面の簡単な説明】
【００３６】
【図１】本願の実施例における応用シーンの模式図である。
【図２】本願の実施例における無線通信方法のフローチャートである。
【図３】本願の実施例における他の無線通信方法無線通信方法のフローチャートである。
【図４】本願の実施例における端末デバイスのブロック図である。
【図５】本願の実施例における他の端末デバイスのブロック図である。
【図６】本願の実施例における無線通信デバイスのブロック図である。
【図７】本願の実施例におけるシステムチップのブロック図である。
【発明を実施するための形態】
【００３７】
以下、本願の実施例における技術的解決策を、本願の実施例における添付図面と併せて、明確かつ完全に説明する。
【００３８】
本発明の実施例による技術的解決策は、例えば、ロングタームエボリューション( Ｌｏｎｇ  Ｔｅｒｍ  Ｅｖｏｌｕｔｉｏｎ、ＬＴＥ )システム、ＬＴＥ周波数分割複信( Ｆｒｅｑｕｅｎｃｙ Ｄｉｖｉｓｉｏｎ Ｄｕｐｌｅｘ、ＦＤＤ )システム、ＬＴＥ時分割複信( Ｔｉｍｅ Ｄｉｖｉｓｉｏｎ Ｄｕｐｌｅｘ、ＴＤＤ )、ユニバーサル移動通信システム( Ｕｎｉｖｅｒｓａｌ Ｍｏｂｉｌｅ Ｔｅｌｅｃｏｍｍｕｎｉｃａｔｉｏｎ Ｓｙｓｔｅｍ、ＵＭＴＳ )、ＷｉＭＡＸ通信システム( Ｗｏｒｌｄｗｉｄｅ Ｉｎｔｅｒｏｐｅｒａｂｉｌｉｔｙ ｆｏｒ Ｍｉｃｒｏｗａｖｅ Ａｃｃｅｓｓ、ＷｉＭＡＸ )又は５Ｇ通信システム等の様々な通信システムに適用されてもよい。
【００３９】
本発明の実施例における端末デバイスは、ユーザ装置( Ｕｓｅｒ Ｅｑｕｉｐｍｅｎｔ、ＵＥ )、アクセス端末、ユーザ装置、ユーザ局、移動局、リモート端末、モバイル装置、ユーザ端末、無線通信装置、ユーザエージェント又はユーザ装置を指してもよい。アクセス端末は、セルラー電話、コードレス電話、セッション開始プロトコル( Ｓｅｓｓｉｏｎ Ｉｎｉｔｉａｔｉｏｎ Ｐｒｏｔｏｃｏｌ、ＳＩＰ )電話、ワイヤレスローカルループ( Ｗｉｒｅｌｅｓｓ Ｌｏｃａｌ Ｌｏｏｐ、ＷＬＬ )局、パーソナルデジタル処理( Ｐｅｒｓｏｎａｌ Ｄｉｇｉｔａｌ Ａｓｓｉｓｔａｎｔ、ＰＤＡ )、ワイヤレス通信機能を有するハンドヘルドデバイス、コンピューティングデバイス、またはワイヤレスモデムに接続された他の処理デバイス、車載デバイス、ウェアラブルデバイス、５Gネットワークにおける端末デバイス、または将来進化する一般陸上モバイル通信ネットワーク( Ｐｕｂｌｉｃ Ｌａｎｄ Ｍｏｂｉｌｅ Ｎｅｔｗｏｒｋ、ＰＬＭＮ )における端末デバイスなどであり得るが、本開示の実施形態は限定されない。
【００４０】
本願は、ネットワークデバイスに関連して様々な実施形態を説明する。本発明の実施例におけるネットワークデバイスは、端末デバイスと通信するための装置であってもよく、該アクセスネットワークデバイスは、ＬＴＥシステムにおける進化型基地局( Ｅｖｏｌｕｔｉｏｎａｌ ＮｏｄｅＢ、ｅＮＢ又はｅＮｏｄｅＢ )であってもよく、又はクラウド無線アクセスネットワーク( Ｃｌｏｕｄ Ｒａｄｉｏ Ａｃｃｅｓｓ Ｎｅｔｗｏｒｋ、ＣＲＡＮ )シナリオにおける無線コントローラであってもよく、又は該アクセスネットワークデバイスは、中継局、アクセスポイント、車載装置、ウェアラブル装置、次世代発展型基地局( Ｎｅｘｔ Ｇｅｎｅｒａｔｉｏｎ Ｅｖｏｌｕｔｉｏｎａｌ ＮｏｄｅＢ、ＮＧ−ｅＮＢ )及び５Gネットワークにおけるアクセスネットワークデバイス(例えば、ｇＮＢ )又は将来進化するパブリック地上波モバイルネットワーク( Ｐｕｂｌｉｃ Ｌａｎｄ Ｍｏｂｉｌｅ Ｎｅｔｗｏｒｋ、ＰＬＭＮ )ネットワークにおけるアクセスネットワークデバイス等であってもよく、本発明の実施例は限定されない。
【００４１】
図１は、１つのネットワークデバイス及び２つの端末デバイスを例示的に示し、任意選択で、この無線通信システム１００は、複数のネットワークデバイスを含み、各ネットワークデバイスのカバレージ内に他の数の端末デバイスを含んでもよく、本願の実施例は、これに限定されない。
【００４２】
任意選択で、この無線通信システム１００は、ネットワークコントローラ、モビリティ管理エンティティ( Ｍｏｂｉｌｉｔｙ Ｍａｎａｇｅｍｅｎｔ Ｅｎｔｉｔｙ、ＭＭＥ )、アクセス及びモビリティ管理機能( Ａｃｃｅｓｓ ａｎｄ Ｍｏｂｉｌｉｔｙ Ｍａｎａｇｅｍｅｎｔ Ｆｕｎｃｔｉｏｎ、ＡＭＦ )などの他のネットワークエンティティをさらに含むことができ、本願実施例はこれに限定されない。
【００４３】
さらに、本開示の様々な態様または特徴は、標準的なプログラミングおよび/またはエンジニアリング技術を使用して、方法、装置、または製品として実装され得る。本明細書で使用される「製品」という用語は、任意のコンピュータ可読デバイス、キャリア、または媒体からアクセス可能なコンピュータプログラムを包含する。例えば、コンピュータ可読媒体は、磁気記憶デバイス(例えば、ハードディスク、フロッピーディスク、又は磁気テープなど)、光ディスク(例えば、コンパクトディスク( Ｃｏｍｐａｃｔ Ｄｉｓｃ、ＣＤ )、デジタル多用途ディスク( Ｄｉｇｉｔａｌ Ｖｅｒｓａｔｉｌｅ Ｄｉｓｃ、ＤＶＤ )など)、スマートカード、及びフラッシュメモリデバイス(例えば、書き換え可能プログラマブルリードオンリメモリ( Ｅｒａｓａｂｌｅ Ｐｒｏｇｒａｍｍａｂｌｅ Ｒｅａｄ−Ｏｎｌｙ Ｍｅｍｏｒｙ、ＥＰＲＯＭ )、カード、スティック、又はキードライブなど)を含み得るが、これらに限定されない。さらに、本明細書に記載される様々な記憶媒体は、情報を記憶するための１つ以上のデバイスおよび/または他の機械可読媒体を表し得る。「機械可読媒体」という用語は、命令および/またはデータを記憶、包含、および/または担持することができる様々な媒体を含み得るが、それらに限定されない。
【００４４】
本明細書において、「システム」および「ネットワーク」という用語は、しばしば、本明細書において交換可能に使用されることが理解される。ここで、及び/又はとは、単に関連のある対象を記述するための関連関係の１つであり、Ａ及び/又はＢのように３つの関係が存在し得ることを意味し、Ａのみ、ＡとＢが同時に存在すること、Ｂのみが存在することの３つの場合が存在し得ることを意味する。なお、本文中の「/」の文字は、前後の関連オブジェクトが一種の「または」の関係であることを一般的に示す。
【００４５】
図２は、本願の実施例における無線通信の方法２００の概略的なフローチャートである。方法２００は、任意選択で、図１に示されるシステムに適用され得るが、これに限定されない。方法２００は、以下のコンテンツの少なくとも一部を含む。
【００４６】
２１０において、端末デバイスが非連続受信（Ｄｉｓｃｏｎｔｉｎｕｏｕｓ ｒｅｃｅｐｔｉｏｎ、ＤＲＸ）期間においてＰＤＣＣＨを監視し、該ＰＤＣＣＨに上りグラント（ｇｒａｎｔ）が含まれ、該上りグラントは、ＰＵＳＣＨを伝送するための非同期ＨＡＲＱプロセスを示す。
【００４７】
任意選択で、端末デバイスは、該上りグラントに基づいて、該非同期ＨＡＲＱプロセスにおいてＰＵＳＣＨを伝送することができる。
【００４８】
２２０において、該ＰＤＣＣＨを検出した後、該端末デバイスが第１の時刻に該非同期ＨＡＲＱプロセスに対する上りＨＡＲＱ ＲＴＴタイマを開始する。
【００４９】
なお、上りＨＡＲＱ ＲＴＴタイマの開始期間において、端末デバイスが該非同期ＨＡＲＱプロセスに対するＰＤＣＣＨを監視しないと期待する。
【００５０】
任意選択で、端末デバイスは、該非同期ＨＡＲＱプロセスでＰＵＳＣＨを伝送るする場合、伝送が失敗した場合、該非同期ＨＡＲＱプロセスで該ＰＵＳＣＨを再伝送する必要がある。
【００５１】
任意選択で、この非同期ＨＡＲＱプロセスは、最大再送回数を有し、再送回数が最大再送回数を超えた場合、そのデータ送信が失敗したと見なし、再送する必要がない。
【００５２】
例えば、非同期ＨＡＲＱプロセスａの最大再送回数がｋであり、端末デバイスが非同期ＨＡＲＱプロセスａで上りデータＱをｋ回伝送しても失敗した場合、端末デバイスは、再送を行う必要がないとみなして、上りデータＱの送信を失敗したと判断する。
【００５３】
任意選択で、該最大再送回数は、ネットワークデバイスが該非同期ＨＡＲＱプロセスに対する構成したものである。
【００５４】
任意選択で、該最大再送回数は、該非同期ＨＡＲＱプロセスに対して予め構成したものである。
【００５５】
任意選択で、端末デバイスは、以下の方式で第１の時刻を決定する。
【００５６】
方式一
ＰＵＳＣＨをｎ回目に伝送する場合、該端末デバイスがネットワークデバイスからフィードバックされた再送終了メッセージを受信し、ｎはｋ以下の正の整数であり、ｋは最大再送信回数であり、ｋは１以上の正の整数であり、
該端末デバイスが該第１の時刻をＰＵＳＣＨのｎ回目の伝送の時刻として決定する。
【００５７】
任意選択で、ｎ回目のＰＵＳＣＨの伝送とは、端末デバイスがＰＵＳＣＨを伝送し、ｎ-１回の連続再送が失敗した後に行われるｎ回目の再送を意味する。
【００５８】
任意選択で、該再送終了メッセージは、ネットワークデバイスＰＤＣＣＨによって示される動的スケジューリング情報である。
【００５９】
任意選択で、該再送終了メッセージは、ＰＤＣＣＨによって示される確認フレーム（Ａｃｋｎｏｗｌｅｄｇｅｍｅｎｔ、ＡＣＫ）又は非確認フレーム（Ｎｏｎ−Ａｃｋｎｏｗｌｅｄｇｅｍｅｎｔ、ＮＡＣＫ）である。
【００６０】
なお、端末デバイスは、ネットワークデバイスからフィードバックされた再送終了メッセージを受信した後、ネットワークデバイスがＰＵＳＣＨの受信に成功したことを示し、最大再送回数を待つ必要がなく、再送を終了することができる。
【００６１】
方式二
端末デバイスは、該第１の時刻がＰＵＳＣＨの１回目の伝送の時刻であると決定する。
【００６２】
なお、ＰＵＳＣＨが最初に伝送される時刻は、方式１におけるｎ = １の特例ではなく、方式２では、端末デバイスは、ネットワークデバイスからのフィードバックメッセージを受信する必要がない。
【００６３】
任意選択で、ＰＵＳＣＨを最初に伝送するとは、端末デバイスがＰＵＳＣＨを最初に伝送することを意味する。
【００６４】
任意選択で、ＰＵＳＣＨの１回目の伝送が失敗した場合にも再送が行われる。
【００６５】
任意選択で、端末デバイスは、該第１の時刻がＰＵＳＣＨの１回目の伝送の時刻であると決定し、端末デバイスは、ＰＵＳＣＨの最初の送信の時刻に、非同期ＨＡＲＱプロセスに対するＰＤＣＣＨ受信を期待しない、すなわち、ＰＵＳＣＨの後続の再送信が存在する場合に、非同期ＨＡＲＱプロセスに対するＰＤＣＣＨの受信を期待しないことが理解され得る。
【００６６】
任意選択で、該ＰＵＳＣＨの１回目の伝送は、ＰＵＳＣＨのｋ回の再送のうちの１回目であり、ｋは最大再送信回数であり、ｋは１以上の正の整数である。
【００６７】
方式三
端末デバイスは、該第１の時刻がＰＵＳＣＨのｋ回目の伝送の時刻であると決定し、ｋは最大再送信回数であり、ｋは１以上の正の整数である。
【００６８】
任意選択で、ｋ回目のＰＵＳＣＨの送信とは、端末デバイスが最後のＰＵＳＣＨ再送を行うことを意味する。
【００６９】
任意選択で、この時点で、端末デバイスは、最後の再送（ｒｅｐｅｔｉｔｉｏｎ）のＰＵＳＣＨに対応するサブフレーム（ｓｕｂｆｒａｍｅ）で、非同期ＨＡＲＱプロセスに対する上りＨＡＲＱ ＲＴＴタイマを開始する。
【００７０】
したがって、本願の実施例の方式１において、端末デバイスは、再送終了メッセージを受信すると、非同期ＨＡＲＱプロセスに対する上りＨＡＲＱ ＲＴＴタイマを開始することができ、これにより、端末デバイスは、ＰＤＣＣＨの監視を早期に終了し、それによって、省電力化を達成することができる。
【００７１】
本願の実施例の方式２では、ＰＵＳＣＨが最初に伝送される時刻で上りＨＡＲＱ ＲＴＴタイマを起動することで、端末デバイスは、上りＨＡＲＱ ＲＴＴタイマ開始期間にＰＤＣＣＨを監視することがなく、省電力化を図ることができる。
【００７２】
本願の実施例の方式３では、最終回のＰＵＳＣＨの伝送時刻で上りＨＡＲＱ ＲＴＴタイマを起動することで、データの確実な伝送を最大限に保証しつつ、端末デバイスは上りＨＡＲＱ ＲＴＴタイマ開始期間にＰＤＣＣＨを監視する必要がなく、省電力化を図ることができる。
【００７３】
図３は、本発明の実施例おける無線通信の方法３００の概略的なフローチャートである。方法３００は、任意選択で、図１に示されるシステムに適用され得るが、これに限定されない。方法３００は、以下のコンテンツの少なくとも一部を含む。
【００７４】
３１０において、端末デバイスが現在の時刻に上りグラントを有すると決定し、該上りグラントは、ＰＵＳＣＨを伝送するための非同期ＨＡＲＱプロセスを示す。
【００７５】
任意選択で、端末デバイスは、該上りグラントに基づいて、該非同期ＨＡＲＱプロセスにおいてＰＵＳＣＨを伝送する。
【００７６】
３２０において、該端末デバイスは、第１の時刻に、該非同期ＨＡＲＱプロセスに対する上りＨＡＲＱ ＲＴＴタイマを開始する。
【００７７】
任意選択で、該最大再送回数は、ネットワークデバイスが該非同期ＨＡＲＱプロセスに対する構成したものである。
【００７８】
任意選択で、該最大再送回数は、該非同期ＨＡＲＱプロセスに対して予め構成したものである。
【００７９】
任意選択で、端末デバイスは、以下の方式で第１の時刻を決定する
方式一
ＰＵＳＣＨをｎ回目に伝送する場合、該端末デバイスがネットワークデバイスからフィードバックされた再送終了メッセージを受信することと、ｎはｋ以下の正の整数であり、ｋは最大再送信回数であり、ｋは１以上の正の整数であり、
該端末デバイスが該第１の時刻をＰＵＳＣＨのｎ回目の伝送の時刻として決定することとを含み。
【００８０】
任意選択で、n回目のＰＵＳＣＨの伝送とは、端末装置がＰＵＳＣＨを伝送し、n-1回の連続再送が失敗した後に行われるn回目の再送を意味する。
【００８１】
任意選択で、該再送終了メッセージは、ネットワークデバイスＰＤＣＣＨによって示される動的スケジューリング情報である。
【００８２】
任意選択で、該再送終了メッセージは、ＰＤＣＣＨによって示される確認フレーム（Ａｃｋｎｏｗｌｅｄｇｅｍｅｎｔ、ＡＣＫ）又は非確認フレーム（Ｎｏｎ−Ａｃｋｎｏｗｌｅｄｇｅｍｅｎｔ、ＮＡＣＫ）である。
【００８３】
なお、端末デバイスは、ネットワークデバイスからフィードバックされた再送終了メッセージを受信した後、ネットワークデバイスがＰＵＳＣＨの受信に成功したことを示し、最大再送回数を待つ必要がなく、再送を終了することができる。
【００８４】
方式二
端末デバイスは、該第１の時刻がＰＵＳＣＨの１回目の伝送の時刻であると決定する。
【００８５】
任意選択で、ＰＵＳＣＨを最初に伝送するとは、端末デバイスがＰＵＳＣＨを最初に伝送することを意味する。
【００８６】
任意選択で、ＰＵＳＣＨの１回目の伝送が失敗した場合にも再送が行われる。
【００８７】
任意選択で、端末デバイスは、該第１の時刻がＰＵＳＣＨの１回目の伝送の時刻であると決定し、端末デバイスは、ＰＵＳＣＨの最初の送信の時刻に、非同期ＨＡＲＱプロセスに対するＰＤＣＣＨ受信を期待しない、すなわち、ＰＵＳＣＨの後続の再送信が存在する場合に、非同期ＨＡＲＱプロセスに対するＰＤＣＣＨの受信を期待しないことが理解され得る。
【００８８】
なお、ＰＵＳＣＨが最初に伝送される時刻は、方式１におけるｎ = １の特例ではなく、方式２では、端末デバイスは、ネットワークデバイスからのフィードバックメッセージを受信する必要がない。
【００８９】
任意選択で、該ＰＵＳＣＨの１回目の伝送は、ＰＵＳＣＨのｋ回の再送のうちの１回目であり、ｋは最大再送信回数であり、ｋは１以上の正の整数である。
【００９０】
方式三
端末デバイスは、該第１の時刻がＰＵＳＣＨのｋ回目の伝送の時刻であり、ｋは最大再送信回数であり、ｋは１以上の正の整数である。
【００９１】
任意選択で、ｋ回目のＰＵＳＣＨの送信とは、端末デバイスが最後のＰＵＳＣＨ再送を行うことを意味する。
【００９２】
任意選択で、この時点で、端末デバイスは、最後の再送（ｒｅｐｅｔｉｔｉｏｎ）のＰＵＳＣＨに対応するサブフレーム（ｓｕｂｆｒａｍｅ）で、非同期ＨＡＲＱプロセスに対する上りＨＡＲＱ ＲＴＴタイマを開始する。
【００９３】
したがって、本願の実施例の方式１において、端末デバイスは、再送終了メッセージを受信すると、非同期ＨＡＲＱプロセスに対する上りＨＡＲＱ ＲＴＴタイマを開始することができ、これにより、端末デバイスは、ＰＤＣＣＨの監視を早期に終了し、それによって、省電力化を達成することができる。
【００９４】
本願の実施例の方式２では、ＰＵＳＣＨが最初に伝送される時刻で上りＨＡＲＱ ＲＴＴタイマを起動することで、端末デバイスは、上りＨＡＲＱ ＲＴＴタイマ開始期間にＰＤＣＣＨを監視することがなく、省電力化を図ることができる。
【００９５】
本願の実施例の方式３では、最終回のＰＵＳＣＨの伝送時刻で上りＨＡＲＱ ＲＴＴタイマを起動することで、データの確実な伝送を最大限に保証しつつ、端末デバイスは上りＨＡＲＱ ＲＴＴタイマ開始期間にＰＤＣＣＨを監視する必要がなく、省電力化を図ることができる。
【００９６】
図４は本願の実施例における端末デバイス４００のブロック図である。図４に示すように、該端末デバイス４００は、処理ユニット４１０を含み、
処理ユニット４１０は、非連続受信ＤＲＸ期間において下り制御チャネルＰＤＣＣＨを監視するように構成され、該ＰＤＣＣＨに上りグラントが含まれ、該上りグラントが、上り共有チャネルＰＵＳＣＨを伝送するための非同期ハイブリッド自動再送要求ＨＡＲＱプロセスを示し、
該処理ユニット４１０は、該ＰＤＣＣＨを検出した後、該処理ユニット４１０は、第１の時刻に、該非同期ＨＡＲＱプロセスに対する上りＨＡＲＱトリップ時間ＲＴＴタイマを開始する。
【００９７】
任意選択で、該端末デバイス４００は、さらに、受信ユニット４２０を含み、
受信ユニット４２０は、ＰＵＳＣＨをｎ回目に伝送する場合、ネットワークデバイスからの再送終了メッセージを受信するように構成され、ｎはｋ以下の正の整数であり、ｋは最大再送信回数であり、ｋは１以上の正の整数である。
【００９８】
該処理ユニット４１０は、該第１の時刻をＰＵＳＣＨのｎ回目の伝送の時刻として決定するように構成される。
【００９９】
任意選択で、該再送終了メッセージは、ＰＤＣＣＨによって示される動的スケジューリング情報、又は、ＰＤＣＣＨによって示される確認フレームＡＣＫ又は非確認フレームＮＡＣＫである。
【０１００】
任意選択で、該第１の時刻は、ＰＵＳＣＨの１回目の伝送の時刻である。
【０１０１】
任意選択で、該ＰＵＳＣＨの１回目の伝送は、ＰＵＳＣＨのｋ回の再送のうちの１回目であり、ｋは最大再送信回数であり、ｋは１以上の正の整数である。
【０１０２】
任意選択で、該第１の時刻は、ＰＵＳＣＨのｋ回目の伝送の時刻であり、ｋは最大再送信回数であり、ｋは１以上の正の整数である。
【０１０３】
任意選択で、該最大再送回数は、ネットワークデバイスが該非同期ＨＡＲＱプロセスに対する構成したものである。
【０１０４】
任意選択で、該最大再送回数は、該非同期ＨＡＲＱプロセスに対して予め構成したものである。
【０１０５】
なお、本発明の実施例における端末デバイス４００の各モジュールの上記及び他の動作及び/又は機能は、それぞれ図２の方法２００における端末デバイスの対応するフローを実現するために、簡潔のためにここで説明を省略する。
【０１０６】
図５は本願の実施例における端末デバイス５００のブロック図である。図５に示すように、該端末デバイス５００は、処理ユニット５１０を含み、
処理ユニット５１０は、現在の時刻に上りグラントを有すると決定し、該上りグラントが、上り共有チャネルＰＵＳＣＨを伝送するための非同期ハイブリッド自動再送要求ＨＡＲＱプロセスを示し、
該処理ユニット５１０は、さらに、第１の時刻に、該非同期ＨＡＲＱプロセスに対する上りＨＡＲＱトリップ時間ＲＴＴタイマを開始する。
【０１０７】
任意選択で、該端末デバイス５００は、さらに、受信ユニット５２０を含み、
受信ユニット５２０は、ＰＵＳＣＨをｎ回目に伝送する場合、ネットワークデバイスからの再送終了メッセージを受信し、ｎはｋ以下の正の整数であり、ｋは最大再送信回数であり、ｋは１以上の正の整数であり、
該処理ユニット５１０は、さらに、該第１の時刻をＰＵＳＣＨのｎ回目の伝送の時刻と決定する。
【０１０８】
任意選択で、該再送終了メッセージは、ＰＤＣＣＨによって示される動的スケジューリング情報、又は、ＰＤＣＣＨによって示される確認フレームＡＣＫ又は非確認フレームＮＡＣＫである。
【０１０９】
任意選択で、該第１の時刻は、ＰＵＳＣＨの１回目の伝送の時刻である。
【０１１０】
任意選択で、該ＰＵＳＣＨの１回目の伝送は、ＰＵＳＣＨのｋ回の再送のうちの１回目であり、ｋは最大再送信回数であり、ｋは１以上の正の整数である。
【０１１１】
任意選択で、該第１の時刻は、ＰＵＳＣＨのｋ回目の伝送の時刻であり、ｋは最大再送信回数であり、ｋは１以上の正の整数である。
【０１１２】
任意選択で、該最大再送回数は、ネットワークデバイスが該非同期ＨＡＲＱプロセスに対する構成したものである。
【０１１３】
任意選択で、該最大再送回数は、該非同期ＨＡＲＱプロセスに対して予め構成したものである。
【０１１４】
なお、本発明の実施例による端末デバイス５００の各モジュールの上記及び他の動作及び/又は機能は、それぞれ、図３の方法３００における端末デバイスの対応するフローを実施するために、簡潔のためにここで説明を省略する。
【０１１５】
図６は、本願の実施例における無線通信デバイス６００の概略ブロック図を示し、デバイス６００は、
コードを含むプログラムを記憶するためのメモリ６１０と、
他の装置と通信するための送受信器６２０と、
メモリ６１０内のプログラムコードを実行するために使用されるプロセッサ６３０と、を含む。
【０１１６】
任意選択で、送受信機６２０は、プロセッサ６３０の駆動下で特定の信号の送受信を実行するために使用される。
【０１１７】
任意選択で、コードが実行されると、プロセッサ６３０は、図２の方法２００及び図３の方法３００で端末デバイスが実行する様々な動作を実装することもでき、簡潔にするためにここでは詳しい説明を省略する。この場合、デバイス６００は、例えば携帯電話などの端末デバイスであってもよい。
【０１１８】
本発明の実施形態において、プロセッサ６３０は、中央処理装置( Ｃｅｎｔｒａｌ Ｐｒｏｃｅｓｓｉｎｇ Ｕｎｉｔ、ＣＰＵ )であってもよく、他の汎用プロセッサ、デジタル信号プロセッサ( ＤＳＰ )、特定用途向け集積回路( ＡＳＩＣ )、既製プログラマブルゲートアレイ( ＦＰＧＡ )又は他のプログラマブル論理デバイス、個別ゲート又はトランジスタ論理デバイス、個別ハードウェア構成要素等であってもよいことが理解されるべきである。汎用プロセッサはマイクロプロセッサであってもよく、プロセッサは任意の従来のプロセッサなどであってもよい。
【０１１９】
メモリ６１０は、読み出し専用メモリおよびランダムアクセスメモリを含み得、プロセッサ６３０に命令およびデータを提供し得る。メモリ６１０の一部は、不揮発性ランダムアクセスメモリも含み得る。例えば、メモリ６１０は、デバイスタイプの情報をさらに記憶することができる。
【０１２０】
送受信機６２０は、周波数変調および復調機能またはアップコンバートおよびダウンコンバート機能などの信号送信および受信機能を実装するために使用され得る。
【０１２１】
実装の過程で、方法の少なくとも１つのステップは、プロセッサ６３０内のハードウェアの集積論理回路によって達成されてもよく、または、集積論理回路は、ソフトウェアの形態の命令駆動の下で少なくとも１つのステップを実施してもよい。したがって、無線通信デバイス６００は、チップまたはチップセットであり得る。本願の実施形態に関連して開示される方法のステップは、ハードウェアプロセッサによる実行として直接的に、またはプロセッサ内のハードウェアおよびソフトウェアモジュールの組み合わせによる実行として具現化され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で熟練した記憶媒体内に配置され得る。この記憶媒体はメモリに存在し、プロセッサ６３０は、メモリ内の情報を読み出し、ハードウェアとともに上述した方法のステップを実行する。重複を避けるため、ここでは詳細な説明は省略する。
【０１２２】
図７は、本発明の実施形態に係るシステムチップ７００の概略構成図である。図７のシステムチップ７００は、入力インターフェース７０１、出力インターフェース７０２、メモリ７０４内のコードを実行するプロセッサ７０３、及びメモリ７０４を、内部通信接続線を介して接続することができる。
【０１２３】
任意選択で、コードが実行されると、プロセッサ７０３は、方法の実施形態において端末デバイスによって実行される方法を実施する。簡潔にするために、ここで説明を省略する。
【０１２４】
上記実施形態において、ソフトウェア、ハードウェア、ファームウェア、又はこれらの組み合わせにより、全部又は一部が実現されてもよい。ソフトウェアで実装する場合、全体的に又は部分的にコンピュータプログラム製品の形態で実装することができる。コンピュータプログラム製品は、１つ又は複数のコンピュータ命令を含む。コンピュータプログラム命令は、コンピュータ上でロードされ実行されると、本願の実施形態に記載のフロー又は機能を全体的に又は部分的に生成する。コンピュータは、汎用コンピュータ、専用コンピュータ、コンピュータネットワーク、又は他のプログラム可能な装置であってもよい。コンピュータ命令は、コンピュータ可読記憶媒体に記憶されてもよく、または、例えば、ウェブサイト、コンピュータ、サーバ、またはデータセンターから、別のウェブサイト、コンピュータ、サーバ、またはデータセンターへ、有線(例えば、同軸ケーブル、光ファイバ、デジタル加入者線( ＤＳＬ ) )、または無線(例えば、赤外線、無線、マイクロ波など)によって送信されてもよい。コンピュータ可読記憶媒体は、コンピュータによってアクセス可能な任意の利用可能な媒体、または１つ以上の利用可能な媒体と一体化されたサーバ、データセンターなどを含むデータ記憶デバイスであり得る。利用可能な媒体は、磁気媒体(例えば、フロッピーディスク、ハードディスク、磁気テープ)、光学媒体(例えば、ＤＶＤ )、又は半導体媒体(例えば、ソリッドステートドライブＳｏｌｉｄ Ｓｔａｔｅ Ｄｉｓｋ ( ＳＳＤ ) )などであってもよい。
【０１２５】
本発明の様々な実施形態において、上述のプロセスの順序のサイズは、実行順序の先後を意味するものではなく、各プロセスの実行順序は、その機能及び内部ロジックにおいて決定されるべきであり、本発明の実施形態のプロセスを何ら限定するものではない。
【０１２６】
当業者であれば、説明の便宜及び簡潔にするために、上記に説明されたシステム、装置及びユニットの具体的な動作プロセスは、前述の方法の実施形態における対応するプロセスを参照してもよく、ここでその説明が省略されることを理解するであろう。
【０１２７】
以上、本発明の具体的な実施形態について説明したが、本発明の技術的範囲はこれに限定されるものではなく、本発明の技術的範囲に属する全ての変形や変更が本発明の技術的範囲に含まれることは当業者にとって明らかである。したがって、本発明の保護範囲は、特許請求の範囲の保護範囲に準ずるものとする。
【図１】
2021510024.tif 000003
【図２】
2021510024.tif 000004
【図３】
2021510024.tif 000005
【図４】
2021510024.tif 000006
【図５】
2021510024.tif 000007
【図６】
2021510024.tif 000008
【図７】
2021510024.tif 000009
【手続補正書】
【提出日】令和2年10月19日(2020.10.19)
【手続補正１】
【補正対象書類名】特許請求の範囲
【補正対象項目名】全文
【補正方法】変更
【補正の内容】
【特許請求の範囲】
【請求項１】
端末デバイスが非連続受信ＤＲＸ期間に下り制御チャネルＰＤＣＣＨを監視することと、
前記ＰＤＣＣＨを検出した後、前記端末デバイスが前記非同期ＨＡＲＱプロセスに対する上りＨＡＲＱトリップ時間ＲＴＴタイマを第１の時刻に開始することとを含み、
前記ＰＤＣＣＨに上りグラントが搬送され、前記上りグラントは、上り共有チャネルＰＵＳＣＨを伝送するための非同期ハイブリッド自動再送要求ＨＡＲＱプロセスを示す
ことを特徴とする無線通信方法。
【請求項２】
前記方法は、さらに、
ＰＵＳＣＨをｎ回目に伝送する時に、前記端末デバイスがネットワークデバイスからフィードバックされた再送終了メッセージを受信することと、
前記端末デバイスが、前記第１の時刻をＰＵＳＣＨのｎ番目の伝送の時刻として決定することとを含み、
ｎはｋ以下の正の整数であり、ｋは最大再送信回数であり、ｋは１以上の正の整数である
ことを特徴とする請求項１に記載の無線通信方法。
【請求項３】
前記最大再送回数は、ネットワークデバイスが前記非同期ＨＡＲＱプロセスに対して構成したのもである
ことを特徴とする請求項２に記載の無線通信方法。
【請求項４】
前記最大再送回数は、前記非同期ＨＡＲＱプロセスに対して予め構成したものである
ことを特徴とする請求項２に記載の無線通信方法。
【請求項５】
前記再送終了メッセージがＰＤＣＣＨによって示される動的スケジューリング情報であり、又は、前記再送終了メッセージがＰＤＣＣＨによって示される確認フレームＡＣＫ又は非確認フレームＮＡＣＫである
ことを特徴とする請求項２に記載の無線通信方法。
【請求項６】
前記第１の時刻がＰＵＳＣＨを１回目に伝送する時刻である
ことを特徴とする請求項１に記載の無線通信方法。
【請求項７】
前記ＰＵＳＣＨの１回目の伝送がＰＵＳＣＨのｋ回の再送のうちの１回目であり、ｋは最大再送信回数であり、ｋは１以上の正の整数である
ことを特徴とする請求項６に記載の無線通信方法。
【請求項８】
前記第１の時刻がＰＵＳＣＨのｋ回目の伝送の時刻であり、ｋは最大再送信回数であり、ｋは１以上の正の整数である
ことを特徴とする請求項１に記載の無線通信方法。
【請求項９】
端末デバイスが現在の時刻に上りグラントを有すると決定することと、
前記端末デバイスが第１の時刻に前記非同期ＨＡＲＱプロセスに対する上りＨＡＲＱトリップ時間ＲＴＴタイマを開始することとを含み、
前記上りグラントは、上り共有チャネルＰＵＳＣＨを伝送するための非同期ハイブリッド自動再送要求ＨＡＲＱプロセスを示す
ことを特徴とする無線通信方法。
【請求項１０】
前記第１の時刻がＰＵＳＣＨを１回目に伝送する時刻である
ことを特徴とする請求項９に記載の無線通信方法。
【請求項１１】
前記ＰＵＳＣＨの１回目の伝送がＰＵＳＣＨのｋ回の再送のうちの１回目であり、ｋは最大再送信回数であり、ｋは１以上の正の整数である
ことを特徴とする請求項１０に記載の無線通信方法。
【請求項１２】
前記第１の時刻がＰＵＳＣＨのｋ回目の伝送の時刻であり、ｋは最大再送信回数であり、ｋは１以上の正の整数である
ことを特徴とする請求項９に記載の無線通信方法。
【請求項１３】
前記最大再送回数は、ネットワークデバイスが前記非同期ＨＡＲＱプロセスに対して構成したのもである
ことを特徴とする請求項９〜１１のいずれか１項に記載の無線通信方法。
【請求項１４】
コンピュータ実行可能命令を格納するように構成されたメモリと、
前記メモリと通信し、請求項１から８のいずれか１項に記載の無線通信方法を実行するように構成された１つまたは複数のプロセッサと、を備える
ことを特徴とする端末デバイス。
【請求項１５】
コンピュータ実行可能命令を格納するように構成されたメモリと、
前記メモリと通信し、請求項９〜１３のいずれか１項に記載の無線通信方法を実行するように構成された１つまたは複数のプロセッサと、を備える
ことを特徴とする端末デバイス。
【国際調査報告】
2021510024.tif 000010
2021510024.tif 000011
2021510024.tif 000012
2021510024.tif 000013